(57)【要約】【課題】  シート基材とこのシート基材が封入される封入封筒とが一体化されて折り畳まれた状態で提供される封筒一体化型シート基材において、シート基材の大きさを小さくすることなく、かつ、シート基材に新たな折り目をつけずに封入封筒に封入する。【解決手段】  申込用紙２０ａ〜２０ｃが封入される封入封筒３０を、周囲が折り畳まれることにより袋状となった製袋封筒とし、封入封筒３０の本体部のフラップ部との連接方向の長さを、申込用紙２０ａ〜２０ｃが折り部２２ａ〜２２ｃにて折り畳まれた状態における折り畳み方向の長さと等しくし、かつ、連接方向と直交する方向の長さを、申込用紙２０ａ〜２０ｃの折り畳み方向と直交する方向の長さに等しくし、本体部と封用蓋部との連接部のみが折り部２２ａ〜２２ｃによって折り畳まれるように申込説明用紙４０に接着する。【選択図】図１
2006256122.tif 000002
【特許請求の範囲】
【請求項１】
第１のシート基材と第２のシート基材と前記第１のシート基材が封入される封入封筒とが所定の領域にてそれぞれ互いに接着されて共通の折り部にて折り畳まれた状態で提供される封筒一体化型シート基材であって、
前記封入封筒は、周囲が折り畳まれることにより袋状となった製袋封筒であり、当該封入封筒の本体部の封用蓋部との連接方向の長さが、前記第１のシート基材が前記折り部にて折り畳まれた状態における折り畳み方向の長さと等しく、かつ、前記連接方向と直交する方向の長さが、前記第１のシート基材の前記折り畳み方向と直交する方向の長さに等しく、前記本体部と前記封用蓋部との連接部のみが前記折り部によって折り畳まれるように前記第２のシート基材に接着された封筒一体化型シート基材。
【請求項２】
請求項１に記載の封筒一体型シート基材において、
前記封入封筒は、前記封用蓋部によって封緘するための接着手段により前記第２のシート基材に接着されていることを特徴とする封筒一体型シート基材。
【発明の詳細な説明】
【技術分野】
【０００１】
本発明は、申込用紙や申込説明用紙等といったシート基材とこのシート基材が封入される封入封筒とが一体化されて構成された封筒一体化型シート基材に関する。
【背景技術】
【０００２】
従来より、公共料金の口座振替やクレジットカードの発行等の申し込みを行うための申込書においては、申込事項を記入するための申込用紙に、申込内容についての案内情報や申込用紙への記入例が記載された申込説明用紙と、申込用紙の送付先情報が記載され、申込用紙が封入される封入封筒とが添付され、それにより、申込者が初めて申し込みを行う場合でも申込用紙への申込事項の記入及び申込用紙の送付を容易に行うことができるようになっている。このような申込説明用紙及び封入封筒の申込用紙への添付の方法としては、例えば、透明フィルム封筒に、申込用紙、申込説明用紙及び封入封筒を同封しておくことが行われており、申込者は、所望の申し込みの透明フィルム封筒を持ち帰り、この透明フィルム封筒に封入された申込用紙に申込事項を記入した後、透明フィルム封筒に封入された封入封筒にこの申込用紙を封入して送付することになる。
【０００３】
また、近年においては、上述したような申込用紙と申込説明用紙と封入封筒とが、一方の端部にて接着されて綴じ合わされた封筒一体型申込書が利用されている。
【０００４】
図５は、申込用紙及び申込説明用紙と封入封筒とが一体化されて構成された従来の封筒一体化型申込書の一構成例を示す図であり、（ａ）は分解説明図、（ｂ）は（ａ）に示した横断面図である。
【０００５】
本従来例は図５に示すように、申込説明用紙１０１に、３枚の申込用紙１０２ａ〜１０２ｃがその一方の端部にて粘着剤１０９によって接着されており、また、申込用紙１０２ａ〜１０２ｃが封入される封入封筒１０３が、そのフラップ部１０５の反対側の端部が申込用紙１０２ｃの粘着剤１０９による接着側の端部と粘着剤１１０によって剥離可能に接着されている。また、この申込用紙１０２ａ〜１０２ｃはそれぞれ、粘着剤１０９による接着部分の内側に沿ってミシン目１０８が形成されており、このミシン目１０８によって切り離し可能となっている。また、封入封筒１０３は、本体部を構成する前面片と後面片の周囲が封筒貼合部１０４となって互いに接着されることにより袋状となっている（例えば、特許文献１参照。）。
【０００６】
このように構成された封筒一体型申込書は、折り部１０７にて折り畳まれた状態で提供され、申込用紙１０２ａ〜１０２ｃに申込事項が記入された後、この申込事項が記入された申込用紙１０２ａ〜１０２ｃがミシン目１０８を介して切り離され、また、封入封筒１０３が申込用紙１０２ｃから剥離され、切り離された申込用紙１０２ａ〜１０２ｃがこの封入封筒１０３に封入されて送付されることになる。
【特許文献１】特開平１０−７２０３９号公報
【発明の開示】
【発明が解決しようとする課題】
【０００７】
しかしながら、上記特許文献１に記載された封筒一体化型申込書のように、シート基材とこのシート基材が封入される封入封筒とが一体化された封筒一体型シート基材においては、シート基材が封入される封入封筒が、本体部を構成する前面片と後面片の周囲が互いに接着されることにより袋状となっているため、シート基材が封入される内部の形状が封入封筒の外形よりも接着領域の分だけ小さくなり、それにより、封筒一体化型シート基材が折り部にて折り畳まれた状態でシート基材と封入封筒とが同じ大きさであったとしても、シート基材を封入封筒に封入するためには、封入封筒の内部の形状に合わせてシート基材を折り畳み直さなければならず、そのための手間がかかってしまうとともに、シート基材に新たな折り目がついてしまうという問題点がある。
【０００８】
また、封入封筒を封筒の定型郵便として取り扱い可能な大きさとした場合に、シート基材を折り畳み直さずに封入封筒に封入可能とするためには、シート基材の大きさを小さくしなければならず、その場合、シート基材に情報を記入するための情報記入欄が狭くなり、所定の情報が記入しにくくなったり、シート基材に記載された情報が読みにくくなったりしてしまうという問題点がある。
【０００９】
本発明は、上述したような従来の技術が有する問題点に鑑みてなされたものであって、シート基材とこのシート基材が封入される封入封筒とが一体化されて折り畳まれた状態で提供される封筒一体化型シート基材において、シート基材の大きさを小さくすることなく、かつ、シート基材に新たな折り目をつけずに封入封筒に封入することができる封筒一体化型シート基材を提供することを目的とする。
【課題を解決するための手段】
【００１０】
上記目的を達成するために本発明は、
第１のシート基材と第２のシート基材と前記第１のシート基材が封入される封入封筒とが所定の領域にてそれぞれ互いに接着されて共通の折り部にて折り畳まれた状態で提供される封筒一体化型シート基材であって、
前記封入封筒は、周囲が折り畳まれることにより袋状となった製袋封筒であり、当該封入封筒の本体部の封用蓋部との連接方向の長さが、前記第１のシート基材が前記折り部にて折り畳まれた状態における折り畳み方向の長さと等しく、かつ、前記連接方向と直交する方向の長さが、前記第１のシート基材の前記折り畳み方向と直交する方向の長さに等しく、前記本体部と前記封用蓋部との連接部のみが前記折り部によって折り畳まれるように前記第２のシート基材に接着されている。
【００１１】
上記のように構成された本発明においては、第１のシート基材が封入される封入封筒が、周囲が折り畳まれることにより袋状となった製袋封筒であるので、第１のシート基材が封入される内部の形状が封入封筒の本体部の外形と同一となり、また、封入封筒を構成する本体部の封用蓋部との連接方向の長さが、第１のシート基材が折り部にて折り畳まれた状態における折り畳み方向の長さと等しく、かつ、第１のシート基材及び封入封筒のそれぞれの折り畳み方向と直交する方向の長さが互いに等しいので、第１のシート基材の大きさを小さくすることなく、第１のシート基材を封入封筒に封入する際に、第１のシート基材を折り畳み直す必要がなくなる。
【００１２】
また、前記封入封筒が、前記封用蓋部によって封緘するための接着手段によって前記第２のシート基材に接着されている構成とすることも考えられ、その場合、封入封筒を第２のシート基材に接着するための接着手段を新たに設ける必要がない。
【００１３】
また、第１のシート基材と第２のシート基材と前記第１のシート基材が封入される封入封筒とが所定の領域にてそれぞれ互いに接着されて共通の折り部にて折り畳まれた状態で提供される封筒一体化型シート基材であって、
前記封入封筒は、周囲が折り畳まれることにより袋状となった製袋封筒であり、当該封入封筒の本体部の封用蓋部との連接方向の長さが、前記第１のシート基材が前記折り部にて折り畳まれた状態における折り畳み方向の長さよりも短く、前記本体部と前記封用蓋部との連接部のみが前記折り部によって折り畳まれるように前記第２のシート基材に接着された構成とすることも考えられる。
【発明の効果】
【００１４】
以上説明したように本発明においては、第１のシート基材と第２のシート基材と第１のシート基材が封入される封入封筒とが所定の領域にてそれぞれ互いに接着されて共通の折り部にて折り畳まれた状態で提供される封筒一体化型シート基材において、封入封筒が、周囲が折り畳まれることにより袋状となった製袋封筒であり、この封入封筒の本体部の封用蓋部との連接方向の長さが、第１のシート基材が折り部にて折り畳まれた状態における折り畳み方向の長さと等しく、かつ、前記連接方向と直交する方向の長さが、前記第１のシート基材の前記折り畳み方向と直交する方向の長さに等しく、本体部と封用蓋部との連接部のみが折り部によって折り畳まれるように第２のシート基材に接着された構成としたため、第１のシート基材を封入封筒に封入する際に、第１のシート基材を折り畳み直さずに封入封筒に封入することができ、それにより、第１のシート基材の大きさを小さくすることなく、かつ、第１のシート基材に新たな折り目をつけずに封入封筒に封入することができる。
【００１５】
また、封入封筒が、封用蓋部によって封緘するための接着手段によって第２のシート基材に接着されている構成としたものにおいては、封入封筒を第２のシート基材に接着するための接着手段を新たに設ける必要がなくなる。
【発明を実施するための最良の形態】
【００１６】
以下に、本発明の実施の形態について図面を参照して説明する。
【００１７】
図１は、本発明の封筒一体型シート基材の実施の一形態である封筒一体型申込書を示す図であり、（ａ）は分解説明図、（ｂ）は（ａ）に示した横断面図である。
【００１８】
本形態は図１に示すように、３枚の案内書１０ａ〜１０ｃと、第１のシート基材となる３枚の申込用紙２０ａ〜２０ｃと、第２のシート基材となる申込説明用紙４０とがその一方の端部にて粘着剤５０によって接着されており、さらに、申込説明用紙４０には、申込用紙２０ａ〜２０ｃが封入される封入封筒３０が粘着剤５２によって接着されている。なお、封入封筒３０は、封筒の定型郵便として取り扱い可能な大きさとなっている。
【００１９】
案内書１０ａ〜１０ｂは、互いに形状が同一のものであって、申し込み内容についての案内情報や広告情報が記載されており、この封筒一体型申込書が折り畳まれた場合に表紙となる案内書１０ａには、申し込みの種類を示す情報が記載されている。
【００２０】
また、申込用紙２０ａ〜２０ｃにおいては、申し込みを行うために申込事項を記入するための記入欄が設けられており、これらは複写式となっている。また、申込用紙２０ａ〜２０ｃのそれぞれは、粘着剤５０による接着部分の内側に沿ってミシン目２１ａ〜２１ｃが形成されており、このミシン目２１ａ〜２１ｃによって切り離し可能となっている。さらに、これら申込用紙２０ａ〜２０ｃは、申込説明用紙４０とともに折り部２２ａ〜２２ｃによって折り畳まれて提供されることになるが、その折り畳み方向の長さが、封筒の定型郵便として取り扱い可能な大きさの倍数以上となっており、申込用紙２０ａ〜２０ｃのうち最も上面に配置された申込用紙２０ａが最も短く、最も下面に配置された申込用紙２０ｃが最も長くなっている。これを利用して、申込用紙２０ａ〜２０ｃの長さが異なる部分に申込用紙２０ａ〜２０ｃの種類を示す見出し等が記載されている。なお、折り畳み方向と直交する方向の長さは互いに等しくなっている。
【００２１】
また、申込説明用紙４０は、申込用紙２０ａ〜２０ｂに対する申込事項の記入例等の情報が記載されており、折り部４２による折り畳み方向の長さが、申込用紙２０ａ〜２０ｃのうち、折り畳み方向の長さが最も長い申込用紙２０ｃよりも長くなっている。また、申込用紙１０ｃが接着された面に、封入封筒３０が粘着剤５２によって接着されている。
【００２２】
なお、案内書１０ａ〜１０ｃ、申込用紙２０ａ〜２０ｃ、申込説明用紙４０及び封入封筒３０の折り畳み方向と直交する方向の長さは、申込用紙２０ａ〜２０ｃの長さが、案内書１０ａ〜１０ｃ、申込説明用紙４０及び封入封筒３０の長さよりも長くならなければ特に限定しないが、申込用紙２０ａ〜２０ｃの長さを封入封筒３０の長さと等しくすれば、申込用紙２０ａ〜２０ｃの大きさを、申込用紙２０ａ〜２０ｃを折り畳み方向と直交する方向に折り畳むことなく封入封筒３０に封入可能な範囲で最も大きくすることができる。また、申込用紙２０ａ〜２０ｃの折り部２２ａ〜２２ｃと申込説明用紙４０の折り部４２とは、互いに同一の間隔となっており、それにより、この折り部２２ａ〜２２ｃ，４２が共通の折り部となって封筒一体型申込書が折り畳まれることになる。
【００２３】
図２は、図１に示した封入封筒３０の構成を示す図であり、（ａ）は封入封筒３０を構成する前面片側から見た図、（ｂ）は（ａ）に示した封入封筒３０を見開いた状態における封入封筒３０の外側となる面を示す図、（ｃ）は（ａ）に示した矢印Ｂ方向から見た図、（ｄ）は（ａ）に示したＡ−Ａ’断面図である。
【００２４】
本形態における封入封筒３０は図２に示すように、本体部となる前面片３１及び後面片３３が折り部３９にて折り畳まれ、さらに、前面片３１の折り部３９と隣接する辺が折り部３８ａ，３８ｂとなって折り畳まれ、その領域が粘着剤５１によって後面片３３と接着されて構成されている。また、前面片３１の折り部３９とは反対側の辺が折り部３５となってこの折り部３５を介して封用蓋片となるフラップ部３２が連接している。これにより、周囲が折り畳まれることによって袋状となった製袋封筒となっている。また、フラップ部３２には、折り部３５とは反対側に、申込説明用紙４０に接着される接着部３７が連接しており、この連接部にはミシン目３６が形成されている。また、前面片３１及び後面片３３からなる本体部の、前面片３１とフラップ部３２との連接方向の長さが、申込説明用紙４０の折り部４２の間隔、並びに申込用紙２０ａ〜２０ｃの折り部２２ａ〜２２ｃの間隔と等しくなっている。
【００２５】
また、前面片３１には、折り部３５，３９を介してフラップ部３２及び後面片３３がそれぞれ連接しているとともに、折り部３５，３９に隣接する辺が折り部３８ａ，３８ｂとなってこの折り部３８ａ，３８ｂを介して接着部３４ａ，３４ｂが突出するように設けられている。この接着部３４ａ，３４ｂの、封入封筒の外側となる面には、粘着剤５１が塗布されており、接着部３４ａ，３４ｂが折り部３８ａ，３８ｂにて折り畳まれ、この粘着剤５１によって後面片３３と接着されることにより、前面片３１と後面片３３とで袋状となる。
【００２６】
以下に、上記のように構成された封筒一体型申込書の使用方法について説明する。
【００２７】
図３は、図１及び図２に示した封筒一体型申込書を折り畳んだ状態を示す断面図である。
【００２８】
図１及び図２に示した封筒一体型申込書は、図３に示すように、申込用紙２０ａ〜２０ｃ及び申込説明用紙４０が、折り部２２ａ〜２２ｃ，４２にて折り畳まれるように巻き折られる。この際、申込用紙２０ａ〜２０ｃの折り部２２ａ〜２２ｃと申込説明用紙４０の折り部４２とが、互いに同一の間隔となっているため、申込用紙２０ａ〜２０ｃ及び申込説明用紙４０の折り部２２ａ〜２２ｃ，４２が共通の折り部となって封筒一体型申込書が折り畳まれることになる。また、封入封筒３０は、前面片３１とフラップ部３２との連接部分となる折り部３５が申込説明用紙４０の折り部４２と対向するように接着部３７にて粘着剤５２によって申込説明用紙４０に接着されており、また、前面片３１及び後面片３３からなる本体部の、前面片３１とフラップ部３２との連接方向の長さが、申込説明用紙４０の折り部４２の間隔と等しくなっているため、前面片３１とフラップ部３２との連接部分となる折り部３５のみが、折り部２２ａ〜２２ｃ，４２による共通の折り部によって折り畳まれる。これにより、封入封筒３０において、フラップ部３２を折り畳むための折り部３５以外に折り部がつくことがなくなり、封入封筒３０の外見が悪くなったり、申込用紙２０ａ〜２０ｃが封入しにくくなったりすることがなくなる。
【００２９】
このように折り畳まれた状態で提供された封筒一体型申込書は、その後、申込用紙２０ａ〜２０ｃに申込事項が記入され、ミシン目２１ａ〜２１ｃによって切り離される。また、この申込用紙２０ａ〜２０ｃが封入される封入封筒３０が、ミシン目３６によって切り離される。そして、封入封筒３０に申込用紙２０ａ〜２０ｃが封入されることになる。
【００３０】
図４は、図１及び図２に示した申込用紙２０が封入封筒３０に封入される状態を示す図である。
【００３１】
図４に示すように、図１及び図２に示した申込用紙２０が封入封筒３０に封入される際、申込用紙２０ａ〜２０ｃの折り畳み方向と直交する方向の長さが、封入封筒３０の折り畳み方向と直交する方向の長さと等しいまたは短いため、申込用紙２０ａ〜２０ｃの折り畳み方向と直交する方向に折り畳む必要がなくなる。また、申込用紙２０ａ〜２０ｃの折り畳み方向と直交する方向の長さについても、折り部２２ａ〜２２ｃの間隔、すなわち、申込用紙２０ａ〜２０が折り畳まれた状態における折り畳み方向の長さと、封入封筒３０の前面片３１及び後面片３３からなる本体部の、前面片３１とフラップ部３２との連接方向の長さとが等しくなっているため、申込用紙２０ａ〜２０ｃを封入封筒３０に封入するために申込用紙２０ａ〜２０ｃを折り畳み直す必要がない。これにより、申込用紙２０ａ〜２０ｃに新たな折り目をつけることなく封入封筒３０に申込用紙２０ａ〜２０ｃを封入することができる。また、封入封筒３０が図２に示したような製袋封筒であるため、申込用紙２０ａ〜２０ｃの折り畳み方向と直交する方向の長さが、封入封筒３０の前面片３１とフラップ部３２との連接方向と直交する方向の長さよりも長くない構成としながらも、申込用紙２０ａ〜２０ｃの大きさが小さくなることを回避することができる。なお、上述した説明における、申込用紙２０ａ〜２０ｃの折り畳み方向と直交する方向の長さが、封入封筒３０の折り畳み方向と直交する方向の長さと等しいという記載、並びに、申込用紙２０ａ〜２０が折り畳まれた状態における折り畳み方向の長さと、封入封筒３０の前面片３１及び後面片３３からなる本体部の、前面片３１とフラップ部３２との連接方向の長さとが等しいという記載においては、実際に申込用紙２０ａ〜２０ｃが折り畳まれて封入封筒３０に封入可能とするために、申込用紙２０ａ〜２０ｃの方が数ｍｍ程度まで短いものも含む。
【００３２】
なお、本形態においては、封入封筒３０の本体部の、前面片３１とフラップ部３２との連接方向の長さが、申込説明用紙４０の折り部４２の間隔及び申込用紙２０ａ〜２０ｃの折り部２２ａ〜２２ｃの間隔と等しくなっているが、封入封筒３０の本体部の、前面片３１とフラップ部３２との連接方向の長さが、申込説明用紙４０の折り部４２の間隔及び申込用紙２０ａ〜２０ｃの折り部２２ａ〜２２ｃの間隔よりも短くなるような構成とすることも考えられる。その場合、申込用紙２０ａ〜２０ｃを封入封筒３０に封入する際に、申込用紙２０ａ〜２０ｃを折り畳み方向に折り畳み直す必要があるものの、申込用紙２０ａ〜２０ｃの折り畳み方向と直交する方向に折り畳む必要はなく、それにより、申込用紙２０ａ〜２０ｃを折り畳み方向及びそれに直交する方向に折り畳むことによる皺が申込用紙２０ａ〜２０ｃについてしまうことを回避することができる。
【００３３】
また、本形態においては、封入封筒３０のフラップ部３２に連接した接着部３７にて粘着剤５２によって封入封筒３０を申込説明用紙４０に接着させているが、フラップ部３２によって封入封筒３０を封緘するための接着手段として剥離及び再貼着可能な粘着剤を用い、この粘着剤をフラップ部３２に塗布しておき、この粘着剤によって封入封筒３０を申込説明用紙４０に接着させることも考えられる。その場合、図２に示した接着部３７は設ける必要はなく、フラップ部３２が申込説明用紙４０と接着されることにより、封入封筒３０が申込説明用紙４０と接着されることになる。
【００３４】
また、本形態においては、案内書１０ａ〜１０ｃと申込用紙２０ａ〜２０ｃと申込説明用紙４０とが粘着剤５０によって接着されて構成されたものを例に挙げて説明したが、本発明は、封入封筒３０が接着された申込説明用紙４０と申込用紙２０ａ〜２０ｃとが接着されたものであればよい。また、申込用紙の枚数は３枚に限定しない。
【図面の簡単な説明】
【００３５】
【図１】本発明の封筒一体型シート基材の実施の一形態である封筒一体型申込書を示す図であり、（ａ）は分解説明図、（ｂ）は（ａ）に示した横断面図である。
【図２】図１に示した封入封筒の構成を示す図であり、（ａ）は封入封筒を構成する前面片側から見た図、（ｂ）は（ａ）に示した封入封筒を見開いた状態における封入封筒の外側となる面を示す図、（ｃ）は（ａ）に示した矢印Ｂ方向から見た図、（ｄ）は（ａ）に示したＡ−Ａ’断面図である。
【図３】図１及び図２に示した封筒一体型申込書を折り畳んだ状態を示す断面図である。
【図４】図１及び図２に示した申込用紙が封入封筒に封入される状態を示す図である。
【図５】申込用紙及び申込説明用紙と封入封筒とが一体化されて構成された従来の封筒一体化型申込書の一構成例を示す図であり、（ａ）は分解説明図、（ｂ）は（ａ）に示した横断面図である。
【符号の説明】
【００３６】
１０ａ〜１０ｃ    案内書
２０，２０ａ〜２０ｃ    申込用紙
２１ａ〜２１ｃ，３６    ミシン目
２２ａ〜２２ｃ，４２，３５，３８ａ，３８ｂ，３９    折り部
３０    封入封筒
３１    前面片
３２    フラップ部
３３    後面片
３４ａ，３４ｂ，３７    接着部
４０    申込説明用紙
５０〜５２    粘着剤
【図１】
2006256122.tif 000003
【図２】
2006256122.tif 000004
【図３】
2006256122.tif 000005
【図４】
2006256122.tif 000006
【図５】
2006256122.tif 000007